(57)【要約】【課題】本発明は、大リールと小リールに各々逆方向にのみに回動する回動板を設け、回転軸の回転方向で各リールの何れかのみを回転可能とし、各リールの同時回転をなくしてケーブルの他のリールへのからみつきを防止することを目的とする。【解決手段】本発明によるケーブルドラムは、リール保持枠(1)に回転自在に設けられた回転軸(5)に大リール(4)と小リール(10)を設け、この大リール(4)と小リール(10)に互いに逆方向のみに回動する回動板(51,70)を設けると共に、前記回転軸(5)に一対のピン(5A,5B)を設け、この回転軸(5)の左、右回転では一方のリール(4,10)のみを回転させるようにした構成である。【選択図】図５
2006306605.tif 000002
【特許請求の範囲】
【請求項１】
全体形状が枠形をなし脚部(3)を有するリール保持枠(1)と、前記リール保持枠(1)に回転自在に設けられハンドル(6)を前記リール保持枠(1)の外部に有する回転軸(5)と、前記回転軸(5)に相対回転自在でかつ軸方向の互いに異なる位置に設けられた大リール(4)及び前記大リール(4)よりも小径の小リール(10)と、前記大リール(4)の内面に設けられスプリング(50a)を有する蝶番(50)及び第１ストッパ(52)により一方向(B)のみに回動する第１回動板(51)と、前記小リール(10)の内面に設けられスプリング(71a)を有する蝶番(71)及び第２ストッパ(72)により前記一方向(B)とは反対方向の他方向(C)のみに回動する第２回動板(70)と、前記回転軸(5)に設けられ前記第１回動板(51)と当接する第１ピン(5A)と、前記回転軸(5)に設けられ前記第２回動板(70)と当接する第２ピンとを備え、
前記第１ピン(5A)と第１回動板(51)が当接した場合に前記第１回動板(51)が第１ストッパ(52)と当接して前記大リール(4)のみが前記他方向(C)のみに回転され、前記第２ピン(5B)と第２回動板(70)が当接した場合に前記第２回動板(70)が第２ストッパ(72)と当接して前記小リール(10)のみが前記一方向(B)のみに回転され、前記大リール(4)及び小リール(10)は同時には同一回転方向へ回転しないように構成されていることを特徴とするケーブルドラム。
【請求項２】
前記大リール(4)及び小リール(10)は、大摺動リング(4A)及び小摺動リング(10A)を介して前記回転軸(5)に摺動回転自在に設けられていることを特徴とする請求項１記載のケーブルドラム。
【請求項３】
前記大リール(4)の大リール用サイドプレート(7)には穴(25)が形成され、前記大リール(4)に巻回されたケーブル(9)が前記穴(25)を介して前記小リール(10)に案内して巻回されていることを特徴とする請求項１又は２記載のケーブルドラム。
【請求項４】
前記ケーブル(9)の両端には、前記ケーブル(9)を固定するためのケーブル固定用ひも(40,41)が設けられていることを特徴とする請求項１ないし３の何れかに記載のケーブルドラム。
【発明の詳細な説明】
【技術分野】
【０００１】
本発明は、ケーブルドラムに関し、特に、回転軸に設けた一対のピンを大、小リールに設けた各回動板に当接させ、一方向回転では大又は小リールのみを、他方向回転では小又は大リールのみを回転させることにより、各リールの同時回転をなくし、一方のリールに巻付けるケーブルが他方のリールにからみつくことのないようにするための新規な改良に関する。
【背景技術】
【０００２】
従来、用いられていたこの種のケーブルドラムとしては、社内製作のみであるため特許文献等は開示していないが、図９から図１１で示す構成を挙げることができる。
すなわち、図９から図１１において符号１で示されるものは全体形状が枠形をなすリール保持枠であり、このリール保持枠１の基部２の下部には複数のキャスタ３が設けられている。
【０００３】
前記リール保持枠１内には大リール４を有する筒状の回転軸５が回転自在に軸支されており、この回転軸５にはハンドル６が設けられている。
前記大リール４は、一対の大リール用サイドプレート７，８により構成され、この大リール４にはケーブル９が巻回できるように構成されている。
【０００４】
前記リール保持枠１から突出した前記回転軸５の突出部５ａには、前記大リール４よりも小径の小リール１０が固定して設けられている。
前記小リール１０には、一対の小リール用サイドプレート１１，１２が設けられている。
【０００５】
前記ケーブル９は、前記回転軸５の中空部５ａを貫通してこの回転軸５のほぼ中央位置に形成された開口５ｂから大リール４内へ案内され、このケーブル９の一端９ａ側はこの大リール４に５０〜６０ｍ分が巻回されていると共に、その他端９ｂ側は前記小リール１０に５〜６ｍ分が巻回されている。
【０００６】
前述の構成において、大リール４に巻回されたケーブル９の一端９ａは、例えば、発射制御器側２０に接続され、その他端９ｂは小リール１０からはずして引出し遠隔操作器側２１に接続される。
前記遠隔操作器側２１でケーブル９を介して前記発射制御器側２０に信号を送信し、発射制御を行うことができる。
【発明の開示】
【発明が解決しようとする課題】
【０００７】
従来のケーブルドラムは、以上のように構成されていたため、次のような課題が存在していた。
すなわち、大リール及び小リールは、回転軸に固定されていたため、大リールと小リールが同時に回転し、大リールにケーブルを巻き取る際、小リールも回転し、小リールにケーブルがからみつくことがあった。
このケーブルのからみつきが発生すると、ケーブルを小リールから離脱させなければならず、ケーブル設置等の作業に多大の悪影響が発生していた。
【課題を解決するための手段】
【０００８】
本発明によるケーブルドラムは、全体形状が枠形をなし脚部を有するリール保持枠と、前記リール保持枠に回転自在に設けられハンドルを前記リール保持枠の外部に有する回転軸と、前記回転軸に相対回転自在でかつ軸方向の互いに異なる位置に設けられた大リール及び前記大リールよりも小径の小リールと、前記大リールの内面に設けられスプリングを有する蝶番及び第１ストッパにより一方向のみに回動する第１回動板と、前記小リールの内面に設けられスプリングを有する蝶番及び第２ストッパにより前記一方向とは反対方向の他方向のみに回動する第２回動板と、前記回転軸に設けられ前記第１回動板と当接する第１ピンと、前記回転軸に設けられ前記第２回動板と当接する第２ピンとを備え、前記第１ピンと第１回動板が当接した場合に前記第１回動板が第１ストッパと当接して前記大リールのみが前記他方向のみに回転され、前記第２ピンと第２回動板が当接した場合に前記第２回動板が第２ストッパと当接して前記小リールのみが前記一方向のみに回転され、前記大リール及び小リールは同時には同一回転方向へ回転しないようにした構成であり、また、前記大リール及び小リールは、大摺動リング及び小摺動リングを介して前記回転軸に摺動回転自在に設けられている構成であり、また、前記大リールの大リール用サイドプレートには穴が形成され、前記大リールに巻回されたケーブルが前記穴を介して前記小リールに案内して巻回されている構成であり、また、前記ケーブルの両端には、前記ケーブルを固定するためのケーブル固定用ひもが設けられている構成である。
【発明の効果】
【０００９】
本発明によるケーブルドラムは、以上のように構成されているため、次のような効果を得ることができる。
すなわち、大リールと小リールが回転軸に対して固定されないで摺動回転自在に設けられ、各リールの内面に設けたストッパと共働する各回動板に回転軸の各ピンが当接する構成とし、各回転板の回動方向が互いに異なる方向であるため、大リールと小リールは互いに逆方向にのみ回転可能となり同時回転を防止できる。
そのため、大リールでケーブルを巻取り中に小リールにケーブルがからみつくことはなく、各リールへのケーブルの巻付けを確実に行うことができる。
【発明を実施するための最良の形態】
【００１０】
本発明は、回転軸に設けた一対のピンを大、小リールに設けたストッパを有する各回動板に当接させ、一方向回転では大又は小リールのみを、他方向回転では小又は大リールのみを回転させ、各リールの同時回転をなくすことにより、一方のリールに巻付けるケーブルが他方のリールにからみつくことのないようにしたケーブルドラムを提供することを目的とする。
【実施例】
【００１１】
以下、図面と共に本発明によるケーブルドラムの好適な実施の形態について説明する。
尚、従来例と同一又は同等部分には、同一符号を付して説明する。
図１から図４において符号１で示されるものは、全体形状が枠形をなすリール保持枠であり、このリール保持枠１の基部の両側には一対の脚部３が設けられている。
【００１２】
前記リール保持枠１内には、大リール４及びこの大リール４よりも小径の小リール１０を軸方向に異なる位置で有する回転軸５が回転自在に軸支されており、この回転軸５にはリール保持枠１の外側に位置するハンドル６が設けられている。前記各リール４，１０は、図２で示すように大摺動リング４Ａ及び小摺動リング１０Ａを介して回転軸５に対して自由回転すなわち摺動回転自在に構成されている。
【００１３】
前記大リール４は、一対の大リール用サイドプレート７，８により構成され、この大リール４にはケーブル９が巻回できるように構成されている。
前記大リール４の隣には、小リール１０を構成するための小リール用サイドプレート１１が設けられ、前記各大リール用サイドプレート７，８の中の一方の大リール用サイドプレート７は小リール１０用の一方のサイドプレートを構成している。
【００１４】
前記大リール４の前記大リール用サイドプレート７には、図３で示されるような穴２５が形成されており、ケーブル９はこの穴２５を介して大リール４と小リール１０間を案内できるように構成されている。
【００１５】
前記大リール４に案内されたケーブルの一端９ａが、図２のケーブルクリップ２６でクリップされた後に、大リール４の外周に巻回され、このケーブル９の他端９ｂ側は前記小リール１０の外周に巻回され、前記各リール４，１０からほどかれた前記一端９ａ及び他端９ｂは、発射制御器側２０及び遠隔操作器側２１に接続されている。
【００１６】
前記ケーブル９の一端９ａ及び９ｂには、コネクタ３０，３１及びケーブル固定用ひも４０，４１が設けられており、このケーブル固定用ひも４０，４１は、何れかのリール４，１０のケーブル９を引出す時に、片方のリール４又は１０のケーブル９の一端９ａか他端９ｂをケーブル固定用の穴４ａ又は１０ａに接続して固定するために設けられている。
【００１７】
前記大リール４の内面４ａには、図５及び図６で示されるように、スプリング５０ａを有する蝶番５０により回動自在に構成された第１回動板５１が矢印Ｂの一方向のみに回動自在でスプリング５０ａによって元に戻るように設けられている。
前記第１回動板５１は、矢印Ｂの一方向のみには回動できるが、前記矢印Ｂとは異なる矢印Ｃの他方向には回動できないようにラバー５２ａを有する第１ストッパ５２に当接するように構成されている。
【００１８】
前記回転軸５の外周には第１ピン５Ａが半径方向に突出して設けられており、この回転軸５が矢印Ｂの一方向（右回転）に回転すると、第１ピン５Ａが第１回動板５１を一方向Ｂ側へ回動させるため、大リール４は回転軸５とは共に回転せず、空回りとなるが、この回転軸５を前述と逆の矢印Ｃの他方向（左回転）に回転すると、第１ピン５Ａが第１回動板５１と当接し、この第１回動板５１が第１ストッパ５２に当接するため、大リール４のみが回転軸５と共に前記他方向Ｃへ回転するように構成されている。
【００１９】
また、前記回転軸５の軸方向で互いに異なる位置には第２ピン５Ｂが設けられており、この第２ピン５Ｂは前記小リール１０に対応するように構成されている。
前記小リール１０の内面には、図７で示される第２回動板７０がスプリング７１ａを有する蝶番７１を介して矢印Ｃの他方向のみに回動自在でスプリング７１ａによって元に戻るように設けられている。
【００２０】
すなわち、前記第２回動板７０は、前記第１回動板５１とは逆方向に回動自在に設けられており、この第２回動板７０は前記他方向Ｃとは逆の一方向Ｂには回転できないようにラバー７２ａを有する第２ストッパ７２は当接するように構成されている。
【００２１】
前記回転軸５が前記他方向Ｃ（左回転）に回転すると、第２ピン５Ｂが第２回動板７０を他方向Ｃ側へ回動させるため、小リール１０は回転軸５とは共に回転せず、空回りとなるが、この回転軸５を前述と逆の一方向Ｂ（右回転）に回転すると、第２ピン５Ｂが第２回動板７０と当接し、この第２回動板７０が第２ストッパ７２に当接するため、小リール１０のみが回転軸５と共に一方向Ｂへ回転するように構成されている。
【００２２】
従って、前述の構成において、前記ハンドル６を回転して、引き出されたケーブル９を大リール４側又は小リール１０側へ巻き取る場合について説明する。
前記ハンドル６を他方向Ｃ側へ回転させると、回転軸５は左回転となり、第１ピン５Ａが図６で示されるように第１回動板５１に当接し、この第１回動板５１が第１ストッパ５２に当接しているため、大リール４は左回転することによりケーブル９が大リール４に巻き取られる。
尚、この左回転時は、前述のように、小リール１０は空回りの非回転状態となる。
【００２３】
また、前記ハンドル６を一方向Ｂ側へ回転させると、回転軸５は右回転となり、第２ピン５Ｂが図７で示されるように第２回動板７０に当接し、この第２回動板７０が第２ストッパ７２に当接しているため、小リール１０は右回転することによりケーブル９が小リール１０に巻き取られる。また、この右回転時は、大リール４は空回りの非回転状態である。
尚、この右回転時は、前述のように、大リール４は空回りの非回転状態となる。
【００２４】
従って、回転軸５を左右何れかのみの方向に回転させた時は、大、小リール４，１０の何れかのみの回転となり、従来のような大、小リール４，１０の同時回転を避け、ケーブル９のからみつきを防止すことかできる。
【産業上の利用可能性】
【００２５】
本発明は、ケーブルに限らず、ホースにも適用可能である。
【図面の簡単な説明】
【００２６】
【図１】本発明によるケーブルドラムを示す正面図である。
【図２】図１の一部切欠きを有する側面図である。
【図３】図２のＡ−Ａ断面図である。
【図４】図１の背面図である。
【図５】図１の大リール内部を示す正面図である。
【図６】図５の要部のＤ−Ｄ断面図である。
【図７】図１の小リールに設けた第２回動板の構造を示す断面図である。
【図８】図１の回転軸を示す構成図である。
【図９】従来構成を示す平面断面図である。
【図１０】図９の右側面図である。
【図１１】図９の正面図である。
【符号の説明】
【００２７】
１    リール保持枠
３    脚部
４    大リール
４Ａ    大摺動リング
５    回転軸
５Ａ    第１ピン
５Ｂ    第２ピン
６    ハンドル
７，８    大リール用サイドプレート
９    ケーブル
９ａ    一端
９ｂ    他端
１０    小リール
１０Ａ    小摺動リング
２０    発射制御器側
２１    遠隔操作器側
２５    穴
４０，４１    ケーブル固定用ひも
５０，７１    蝶番
５１    第１回動板
５２    第１ストッパ
７０    第２回動板
７２    第２ストッパ
Ｂ    一方向（右回転）
Ｃ    他方向（左回転）
【図１】
2006306605.tif 000003
【図２】
2006306605.tif 000004
【図３】
2006306605.tif 000005
【図４】
2006306605.tif 000006
【図５】
2006306605.tif 000007
【図６】
2006306605.tif 000008
【図７】
2006306605.tif 000009
【図８】
2006306605.tif 000010
【図９】
2006306605.tif 000011
【図１０】
2006306605.tif 000012
【図１１】
2006306605.tif 000013